(57)【要約】      （修正有）【課題】薄型且つ軽量で、身体の広い範囲に取り付けることが可能であり、管理が容易な活動量計、及び、活動量計を用いた健康監視システムを提供する。【解決手段】ケース本体４０と電池蓋４３とからなる筐体と、この筐体の内部に付設する活動量を測定すると共に、測定した活動量データを外部の情報端末に送信する通信機能をもったモジュール２２とから構成され、モジュール２２は一枚の回路基板２１０のいずれか一方の面に活動量データ算出手段および通信手段を配設すると共に、回路基板２１０の他方の面に電池電極３１を取付けてなり、電池蓋４３とモジュール２２の電池電極３１との間に電池３を交換可能に収納するようにした。また、ケース本体４０の表面にエンブレムを取付けるための凹陥部を設けた。【選択図】図１
0003180175.tif 000002
【実用新案登録請求の範囲】
【請求項１】
ケース本体と電池蓋とからなる筐体と、この筐体の内部に付設する活動量を測定すると共に、測定した活動量データを外部の情報端末に送信する通信機能をもったモジュールとから構成され、当該モジュールは一枚の回路基板のいずれか一方の面に活動量データ算出手段および通信手段を配設すると共に、当該回路基板の他方の面に電池電極を取付けてなり、前記電池蓋と前記モジュールの電池電極との間に電池を交換可能に収納するようにしたことを特徴とする活動量計。
【請求項２】
ケース本体と電池蓋とからなる筐体と、この筐体の内部に付設する活動量を測定すると共に、測定した活動量データを外部の情報端末に送信する通信機能をもったモジュールとから構成され、当該モジュールは一枚の回路基板のいずれか一方の面に活動量データ算出手段および通信手段を配設すると共に、当該回路基板の他方の面に電池電極を取付けてなり、前記電池蓋と前記モジュールの電池電極との間に電池を交換可能に収納するようにすると共に、前記ケース本体の表面に凹陥部を形成し、当該凹陥部内に嵌合可能な外径を有するエンブレムを着脱自在に取付けるようにしたことを特徴とする活動量計。
【請求項３】
前記電池蓋にストラップガイドを突成して電池蓋の開閉を容易にすると共に、当該ストラップガイドと適宜なストラップを用いてユーザの所望の箇所に取付け可能としたことを特徴とする請求項１または２に記載の活動量計。
【請求項４】
請求項１または請求項２に記載の活動量計をエラストマーバンドに設けた支持部に着脱自在に取付け、当該エラストマーバンドによって手首に取付け可能としたことを特徴とする活動量計。
【請求項５】
前記活動量データ算出手段は、少なくとも加速度センサ、マイクロプロセッサおよびメモリチップとを備え、前記通信手段はＩＳＯ／１ＥＣ１８０９２に定められた技術基準に基づく近距離通信チップを備え、且つ絶縁被覆導線を矩形状または円形状に巻いて構成した前記近距離通信チップ用のアンテナコイルとを備えたことを特徴とする請求項１乃至請求項４の何れか１項に記載の活動量計。
【請求項６】
前記活動量データ算出手段は、少なくとも加速度センサ、マイクロプロセッサおよびメモリチップとを備え、前記通信手段はブルートゥースバージョン４．０に準拠した小電力通信チップと、当該小電力通信チップ用のチップアンテナとを備えたことを特徴とする請求項１乃至請求項４の何れか１項に記載の活動量計。
【請求項７】
請求項１乃至請求項６の何れか１項に記載の活動量計と、外部の情報端末とで構成したことを特徴とする健康監視システム。
【考案の詳細な説明】
【技術分野】
【０００１】
本考案は活動量計に係り、さらに詳しくは小型で収納が容易であり、且つ計測データを記録し健康管理を行う上で使い勝手を向上した活動量計および当該活動量計を用いた健康監視システムに関する。
【背景技術】
【０００２】
歩行は健康増進と疾病快復に効果があることが知られており、現在では多くの人が日常生活の中に取り入れている。しかし歩行の効果を上げるためには、日々の歩数や消費エネルギを把握し、目標に向けて改善を行うなど、目標管理をしなければならない。
そのため、例えば下記の特許文献１に活動量計のデータをパソコンに入力し、目標達成に向けた管理活動を支援する技術が開示されている。
【０００３】
図９を用いて前記従来技術を説明する。図９は特許文献１で開示された活動量計の構造を示す断面図である。
図９において、歩数計５００は、ケース５２０およびケース５３０からなる筐体の内部に、歩数測定基板５０１と通信基板５０２とが非電磁性結合部材５１０を介して積み重ねられ、歩数測定基板５０１は、片面に電池３を備えると共にもう一方の面に加速度センサ２１１、処理チップ５０４および不揮発メモリ５０５とを備えており、人が歩いた時の歩数を算出し、通信基板５０２は片面に通信チップ５０６を備えると共にもう一方の面に誘導コイル５０７を備え、電池３と誘導コイル５０７との間隔を確保し、通信性能を向上した小型の活動量計となっている。
【先行技術文献】
【特許文献】
【０００４】
【特許文献１】特開２０１２−５８８６２号公報
【考案の概要】
【考案が解決しようとする課題】
【０００５】
特許文献１に開示された歩数計においては、歩数測定基板５０１と通信基板５０２の二枚の基板が非電磁性結合部材５１０を介して積み重ねられているので、歩数計の全体が厚くなり、また重量も二枚の基板に応じて重くなり、その結果、身体の限られた部位にしか取り付けることができず、しかも身体に取り付ける装飾品としての意匠性に欠けるという課題があった。
【０００６】
本考案の目的は、前記した従来の活動量計における前記のような課題を解決し、薄型、且つ軽量であって身体の広い範囲で取り付けることが可能であり、しかも装飾性を向上させ、個人が健康増進を行う上でも、またアスレチッククラブや自治体などが、会員や住民に貸与して健康管理を行う上でも管理が極めて容易な活動量計および当該活動量計を用いた健康監視システムを提供することにある。
【課題を解決するための手段】
【０００７】
上記課題を解決するための本考案の構成を詳述すれば、請求項１に係る考案は、ケース本体と電池蓋とからなる筐体と、この筐体の内部に付設する活動量を測定すると共に、測定した活動量データを外部の情報端末に送信する通信機能をもったモジュールとから構成され、当該モジュールは一枚の回路基板のいずれか一方の面に活動量データ算出手段および通信手段を配設すると共に、当該回路基板の他方の面に電池電極を取付けてなり、前記電池蓋と前記モジュールの電池電極との間に電池を交換可能に収納するようにしたことを特徴とする活動量計である。
【０００８】
請求項２に係る考案は、ケース本体と電池蓋とからなる筐体と、この筐体の内部に付設する活動量を測定すると共に、測定した活動量データを外部の情報端末に送信する通信機能をもったモジュールとから構成され、当該モジュールは一枚の回路基板のいずれか一方の面に活動量データ算出手段および通信手段を配設すると共に、当該回路基板の他方の面に電池電極を取付けてなり、前記電池蓋と前記モジュールの電池電極との間に電池を交換可能に収納するようにすると共に、前記ケース本体の表面に凹陥部を形成し、当該凹陥部内に嵌合可能な外径を有する適宜形態のエンブレムを着脱自在に取付けるようにしたことを特徴とする活動量計である。
【０００９】
請求項３に係る考案は、前記電池蓋にストラップガイドを突成して電池蓋の開閉を容易にすると共に、当該ストラップガイドと適宜なストラップを用いてユーザの所望の箇所に取付け可能としたことを特徴とする請求項１または２に記載の活動量計である。
【００１０】
請求項４に係る考案は、請求項１または請求項２に記載の活動量計をエラストマーバンドに設けた支持部に着脱自在に取付け、当該エラストマーバンドによって手首に取付け可能としたことを特徴とする活動量計である。
【００１１】
請求項５に係る考案は、前記活動量データ算出手段は、少なくとも加速度センサ、マイクロプロセッサおよびメモリチップとを備え、前記通信手段はＩＳＯ／１ＥＣ１８０９２に定められた技術基準に基づく近距離通信チップを備え、且つ絶縁被覆導線を矩形状または円形状に巻いて構成した前記近距離通信チップ用のアンテナコイルとを備えたことを特徴とする請求項１乃至請求項４の何れか１項に記載の活動量計である。
【００１２】
また、請求項６に係る考案は、前記活動量データ算出手段は、少なくとも加速度センサ、マイクロプロセッサおよびメモリチップとを備え、前記通信手段はブルートゥースバージョン４．０に準拠した小電力通信チップと、当該小電力通信チップ用のチップアンテナとを備えたことを特徴とする請求項１乃至請求項４の何れか１項に記載の活動量計である。
【００１３】
さらに、請求項７に係る考案は、請求項１乃至請求項６の何れか１項に記載の活動量計と、外部の情報端末とで構成したことを特徴とする健康監視システムである。
【考案の効果】
【００１４】
本考案に係る活動量計によれば、回路基板が一枚だけであるから従来の活動量計より全体を薄く、且つ軽量にすることができる。また、ストラップガイドにストラップを通せば身体の広い部位に取り付けることが可能となる。
【００１５】
あるいは、請求項４のようにエラストマーバンドを用いて手首に取付けた状態でユーザの活動量を計測することが可能となる。また、ケース本体の表面に凹陥部を形成し、当該凹陥部内に随時好みのエンブレムを嵌め付けて意匠性を向上させ、見栄えにバリエーションを持たせることが可能になる。
【００１６】
さらに、近距離通信チップまたは小電力通信チップからなる通信手段を備えているので、測定データを外部の情報端末に簡単に送信することが可能となり極めて使い勝手の良い活動量計および健康監視システムを構築することができる。
【図面の簡単な説明】
【００１７】
【図１】本考案に係る活動量計の第１の実施形態の構造を示す断面図である。
【図２】本考案に係る活動量計の第２の実施形態の構造を示す断面図である。
【図３】本考案に係る活動量計の第３の実施形態の構造を示す断面図である。
【図４】本考案に係る活動量計の第４の実施形態の構造を示す断面図である。
【図５】第４の実施形態の取り付け方法を示す説明図である。
【図６】本考案に係る活動量計の身体への取り付け方法の一例を示す斜視図である。
【図７】本考案に係る活動量計の電気的構成を示すブロック図である。
【図８】本考案の活動量計とパソコンとで構成した健康監視システムを示す説明図である。
【図９】従来の活動量計の構造を示す断面図である。
【考案を実施するための形態】
【００１８】
本考案に係る活動量計は、活動量データ算出手段および通信手段とを有してなる活動量計において、活動量計測機能と通信機能を一枚の回路基板で構成し体積を最小化すると共に、活動量計本体の表面には記章や紋章、その他様々なイラストのエンブレムを、好みに応じて付け替え可能に構成し、活動量計本体の裏面には身体の様々な部位に固定可能な、かつ電池蓋の開閉を容易にするストラップガイドを設けてなるものである。
【００１９】
以下に示す実施形態は、本考案に係る技術思想を具体化するための活動量計の一例を示すものであって、本考案は以下の構成に限定されるものではない。特に、実施の形態に記載されている構成部品の寸法、材質、形状、相対的配置等は、特定的な記載がない限り本考案の範囲をそれのみに限定する趣旨ではなく、単なる説明例に過ぎない。
【００２０】
また、各図面が示す部材の大きさや位置関係等は説明を明確にするために誇張的に表現していることがある。さらに、以下の説明において同一部品、同一構成要素には同一の名称、符号を付し詳細説明を適宜省略することがある。
【００２１】
以下、図１を用いて本考案に係る活動量計の第１の実施形態を説明する。図１は第１の実施形態の活動量計１の構造を示す断面図である。
図１に示す活動量計１は、ケース本体４０と電池蓋４２とからなる筐体４４と、この筐体４４の内部に付設するユーザの活動量を測定すると共に、測定した活動量データを外部の情報端末に送信する通信機能をもったモジュール２２とから構成され、当該モジュール２２は一枚の回路基板２１０の何れか一方の面に活動量データ算出手段２および通信手段を配設すると共に、当該回路基板２１０の他方の面に電池電極３１を取付けてなり、前記電池蓋４２と前記モジュール２２の電池電極３１との間に電池３を交換可能に収納するように構成したものである。
【００２２】
この実施形態に係る活動量計１におけるケース本体４０は、図１に示すように上ケース４１と下ケース４２とからなっている。また、活動量データ算出手段２は加速度センサ２１１と、マイクロプロセッサ２１２と、メモリチップ２１３とから構成され、一枚の回路基板２１０の同一の面に配設されると共に、通信手段をなす近距離通信チップ２１４も同一の面に配設されている。
【００２３】
なお、回路基板２１０には回路パターン２１０ｐが形成されており、前記電池電極３１はこの回路パターン２１０ｐに電気的機械的に結合されるようになっている。また、ケース本体４０をなす上ケース４１の内面側には絶縁被覆導線を矩形形状に巻いて構成したアンテナコイル２１４ａが固定されており、回路基板２１０に設けた回路パターン２１０ｐと接続線２１４ｂで近距離通信チップ２１４と電気的に接続されている。
【００２４】
ケース本体４０をなす上ケース４１は、回路パターン２１０ｐを形成した回路基板２１０を図示しない固定具で下ケース４２に収納し、電気的点検が終了した後、下ケース４２と防水のため超音波溶着などにより一体化される。
電池蓋４３は、下ケース４２とネジ部４３ａによって開閉可能に構成されている。また、下ケース４２と電池蓋４３の間には、防水を目的としてリング状のシール材４２ａが付設されている。
【００２５】
電池蓋４３には円弧状のスリット４３ｓが設けられ、コインやマイナスドライバの先端で電池蓋４３を回転しこれを開閉して電池３の交換を行う。
なお、上ケース４１，下ケース４２および電池蓋４３の材質としてはＡＢＳなどのプラスチック材料が好適に用いられる。
また、アンテナコイル２１４ａは、約０．１ｍｍφのウレタン被覆導線を、円形状又は矩形状に数十回巻き、接着材で上ケース４１の内周面に固着したものである。
【００２６】
このように、活動量計１の枢要な部分は一枚の回路基板２１０で構成されているので、全体を薄く且つ軽く実現することができる。また、回路基板２１０は通信手段としての近距離通信チップ２１４とアンテナコイル２１４ａとを備えており、近距離通信方式によって外部の情報端末に活動量データＥｄの送信を行うことができる。この近距離通信方式は、通信距離は数十ｃｍと短いが電力消費が極めて少なく小容量のデータをローコストで送る方式として優れている。
【００２７】
次に、図２を用いて本考案に係る活動量計の第２の実施形態を説明する。図２は第２の実施形態の活動量計１００の構造を示す断面図である。
図２に示すように、回路基板２１０は通信手段としての小電力通信チップ２１５と、この小電力通信チップ用のチップアンテナ２１５ａとを備えており、外部の情報端末とブルートゥースバージョン４．０に準拠した小電力通信方式によって活動量データＥｄの送信を行うことができる。
この第２の実施形態の活動量計１００の、その他の要素については、前記第１の実施形態と同じなので重複する説明は省略する。
【００２８】
このように、活動量計１００の活動量データ算出手段２は一枚の回路基板２１０で構成され、さらに小電力通信用のチップアンテナ２１５ａが回路パターン２１０ｐの上に実装されているので全体がさらに薄く且つ軽くなり、多量の活動量データＥｄを外部の情報端末に送信することができる。この通信方式は、電力消費が比較的大きいが通信距離が数百ｍと長く、大容量のデータの送受信に適している。
【００２９】
次に、図３を用いて本考案に係る活動量計の第３の実施形態を説明する。本考案に係る活動量計の第３の実施形態は、本考案の活動量計の第１の実施形態または第２の実施形態において、上ケース４１の表面に凹陥部４１ｄを設けこの凹陥部４１ｄ内に、エンブレムすなわち記章や紋章あるいは象徴画などを印刷し透明のプラスチックでコーティングした高級感のある「飾り」を接着材で固定し、さらに接着材には再剥離及び再接着が可能なものを用いてエンブレムを交換可能にし、活動量計のデザイン性や製品性を高めたものである。
【００３０】
図３は第３の実施形態の活動量計２００の構造を示す断面図である。図３に示すようにエンブレム４１１は記章や紋章あるいは図柄や写真などを印刷したシートを透明エポキシやポリカーボネートあるいはアクリルなどでコーティングし高級感を出し、凹陥部４１ｄに嵌合し、再剥離及び再接着が可能な接着材４１１ａで上ケース４１に固定する構成としている。なお再剥離及び再接着が可能な接着材としては、「再はく離＆強接着両面テープ」との商品名で知られている両面テープなどを使用することができる。
【００３１】
エンブレム４１１は記章や紋章以外にもキャラクター、イラスト、絵、写真などのほか、ネームや機器名など様々な表示が可能であるから、活動量計のデザイン性や製品性を高める上できわめて有用である。
この第３の実施形態の活動量計２００のその他の要素については、第１の実施形態と同じであるから重複する説明は省略する。
【００３２】
次に、図４および図５を用いて本考案に係る活動量計の第４の実施形態を説明する。本考案の活動量計の第４の実施形態は、前記第１の実施形態または第２の実施形態あるいは第３の実施形態において、電池蓋４３に、身体の一部に固定するためのストラップＳを通すためのストラップガイド４３１を突成して電池蓋４３の螺合による開閉を容易にすると共に、当該ストラップガイド４３１と適宜なストラップＳを用いてユーザの所望の箇所に取付け可能としたものである。
【００３３】
なお、電池蓋４３にストラップガイド４３１を突成することによって、電池蓋４３に前記したような円弧状のスリット４３ｓを設ける必要がなくなる。すなわち、ストラップガイド４３１をつかんで回転すればコインやマイナスドライバを使用することなく電池３の交換が容易に行える。
【００３４】
図４（ａ）は第４の実施形態の断面図で、図４（ｂ）は底面図である。
図４（ａ）、図４（ｂ）においてストラップガイド４３１は電池蓋４３と一体成形で形成される。
図５は活動量計３００をユーザの髪などに固定するため、ストラップＳをストラップガイド４３１の開口の部分に通している様子を示している。活動量計３００のストラップガイド４３１に通したストラップＳは、束ねた髪などの固定に用いることによって髪留め装飾具として使うこともできる。またストラップＳで襟元に固定すればコサージュとして使うことができる。
【００３５】
図６はユーザの身体への他の取付け方法を示すもので、活動量計をエラストマーバンド７００に設けた支持部７０１に着脱自在に取付け、当該エラストマーバンド７００によって腕時計のように手首に取付け可能としたものである。なお、図中の７０２はエラストマーバンド７００の先端部に設けた適宜構造の固定具である。この実施形態によれば、運動中であっても、腕時計のように低拘束状態で身体に固定することができる。
【００３６】
次に、図７および図８を用いて本考案に係る活動量計の電気的なシステム構成を説明する。
図７は本考案の活動量計の電気的な構成を示すブロック図であり、図８は情報端末８００としてのパソコンと、本考案の活動量計とで構成した健康監視システムの一例を示す外観図である。
【００３７】
図７に示すように、活動量計１，１００，２００，３００は活動量データ算出手段２と、近距離通信チップ２１４（または小電力通信チップ２１５）と、アンテナコイル２１４ａ（またはチップアンテナ２１５ａ）と、電池３（図示せず）とからなり、活動量データ算出手段２は加速度センサ２１１、マイクロプロセッサ２１２およびメモリチップ２１３を備えている。
【００３８】
図７において、活動量データ算出手段２の加速度センサ２１１から出力される加速度信号Ａｓと、近距離通信チップ２１４（または小電力通信チップ２１５）から出力される個人データＫｄとに基づき、マイクロプロセッサ２１２は、歩数、運動量、消費カロリなどの活動量データＥｄを算出し、メモリチップ２１３に記憶すると共に、近距離通信チップ２１４（または小電力通信チップ２１５）に
も活動量データＥｄを出力し、これをアンテナコイル２１４ａ（またはチップアンテナ２１５ａ）から、通信用電磁界Ｗによって外部の情報端末８００に送信する。
【００３９】
また、活動量計１は情報端末８００から、近距離通信チップ２１４（または小電力通信チップ２１５）とアンテナコイル２１４ａ（またはチップアンテナ２１５ａ）を介して個人データＫｄ等のデータを取得し、活動量データ算出手段２のマイクロプロセッサ２１２に出力する。
【００４０】
なお、実施例では加速度センサ２１１にはＭＥＭＳ（Ｍｉｃｒｏ  Ｅｌｅｃｔｒｏ  Ｍｅｃｈａｎｉｃａｌ  Ｓｙｓｔｅｍｓ）技術を用いた３軸加速度センサを使用し、マイクロプロセッサ２１２にはマイクロコンピュータを、メモリチップ２１３にはフラッシュメモリを用いたが、他の部材で実現することも可能である。
【００４１】
図８に示すように、情報端末８００の近傍に活動量計１を近づけると近距離通信方式によって活動量データＥｄを情報端末８００に簡単に送信することができる。または、活動量計１００においては、小電力通信方式によって情報端末８００から数百ｍ離れた地点にある活動量計１から活動量データＥｄを送信することができる。何れの場合も、身につけた活動量計から、活動量データＥｄを情報端末８００に容易に送信することができるので、健康管理をおこなう上できわめて利便性が高い。
【００４２】
以上、本考案に係る活動量計によれば、基板が只の一枚であるから全体を薄く且つ軽量にすることができ、ストラップガイドを用いてストラップなどで身体の広い範囲に取り付けられ、さらにはエンブレムを随時好みのものに交換して取付けられるので、装飾品としても通用するデザイン性が生まれ、さらには近距離通信技術や小電力通信技術に基づく通信手段を備えているので、測定データを簡単に送信することが可能となりきわめて使い勝手の良い活動量計および健康監視システムを提供することができる。
【符号の説明】
【００４３】
１，１００，２００，３００：活動量計
２：活動量データ算出手段
２１０：回路基板
２１０ｐ：回路パターン
２１１：加速度センサ
２１２：マイクロプロセッサ
２１３：メモリチップ
２１４：近距離通信チップ
２１４ａ：アンテナコイル
２１４ｂ：接続線
２１５：小電力通信チップ
２１５ａ：チップアンテナ
２２：モジュール
３：電池
３１：電池電極
４０：ケース本体
４１：上ケース
４１ｄ：凹陥部
４１１：エンブレム
４１１ａ：（再剥離および再接着可能な）接着材
４２：下ケース
４２ａ：シール材
４３：電池蓋
４３１：ストラップガイド
４３ａ：ネジ部
４３ｓ：スリット
４４：筐体
５００：歩数計
５０１：歩数測定基板
５０２：通信基板
５０４：処理チップ
５０５：不揮発メモリ
５０６：通信チップ
５０７：誘導コイル
５１０：非電磁性結合部材
５２０，５３０：ケース
７００：エラストマーバンド
７０１：支持部
７０２：固定具
８００：情報端末
Ａｓ：加速度信号
Ｅｄ：活動量データ
Ｋｄ：個人データ
Ｗ：通信用電磁界
Ｓ：ストラップ
【図１】
0003180175.tif 000003
【図２】
0003180175.tif 000004
【図３】
0003180175.tif 000005
【図４】
0003180175.tif 000006
【図５】
0003180175.tif 000007
【図６】
0003180175.tif 000008
【図７】
0003180175.tif 000009
【図８】
0003180175.tif 000010
【図９】
0003180175.tif 000011